(57)【要約】【課題】  背面側のスペースを有効に利用可能し、球詰まりの発生しにくい遊技機の提供を課題とする。【解決手段】    パチンコ遊技機１０の前面側に前面通路３０を配設することにより、払い出し通路をパチンコ遊技機１０の背面側に形成しないようにすることができる。これにより、パチンコ遊技機１０の背面側のスペースを広く確保することができ、より多くの機構部材をパチンコ遊技機１０の背面側に配設することが可能となる。また、前面通路３０の内部に遊技球が連続的に接触して流下可能な螺旋通路３１を設けることにより、球暴れを防止し、流入した順序通りに前面通路３０の内部にて遊技球を流下させることができる。従って、前面通路３０の内部における球詰まりを防止することができる。【選択図】  図６
2010279796.tif 000002
【特許請求の範囲】
【請求項１】
本体部の上部に外部装置から遊技球が供給される供給部を備える遊技機において、
上記本体部の前面側に備えられた遊技球の皿貯留部と、
上記本体部の前面側に備えられ上記供給部から上記皿貯留部までの通路の少なくとも一
部を構成するとともに、内部の傾斜面にて連続的に遊技球を接触させつつ下方に流下させ
る前面通路とを具備することを特徴とする遊技機。
【発明の詳細な説明】
【技術分野】
【０００１】
本発明は、上部に外部装置から遊技球が供給される供給部を備える遊技機に関する。
【背景技術】
【０００２】
従来、この種の遊技機として、遊技機の背面側に遊技球の払い出し通路を形成したものが知られている（例えば、特許文献１、図２、参照。）。
【０００３】
かかる構成によれば、払い出し通路中に払い出し装置が備えられるため、タンクに貯留
された遊技球のうち指定された数量だけを払い出すことが可能であった。払い出された遊
技球は前面側に案内されて、遊技に使用される。
【特許文献１】特開２００４−０７３７１９号公報
【発明の概要】
【発明が解決しようとする課題】
【０００４】
上述した従来の遊技機において、払い出し通路を遊技機の背面側に備えることにより、
遊技機の背面側における各基板等の設置スペースが限定されるという課題があった。また
、遊技球が遊技者の視認不可能な通路を流通して払い出されることから、面白みが少ない
という課題があった。また、払い出し通路を遊技機の背面側に備えることにより、払い出
し通路をコンパクトに狭く形成せざるを得ず、同払い出し通路にて球詰まりが頻繁に発生
するとい課題もあった。
【０００５】
本発明は、上記課題にかんがみてなされたもので、背面側のスペースを有効に利用可能
し、球詰まりの発生しにくい遊技機の提供を目的とする。
【課題を解決するための手段】
【０００６】
上記目的を達成するため、請求項１にかかる発明では、本体部の上部に外部装置から遊
技球が供給される供給部を備える遊技機において、上記本体部の前面側に備えられた遊技
球の皿貯留部と、上記本体部の前面側に備えられ上記供給部から上記皿貯留部までの通路
の少なくとも一部を構成するとともに、内部の傾斜面にて連続的に遊技球を接触させつつ
下方に流下させる前面通路とを具備する構成としてある。
【０００７】
上記のように構成した請求項１の発明において、供給部が遊技機における本体部の上部
に備えられ、同供給部に対して外部装置から遊技球が供給される。上記供給部から上記皿
貯留部までの通路の少なくとも一部を構成する前面通路は、上記本体部の前面側に形成さ
れる。これにより、上記本体部の背面側のスペースを確保することが可能となる。また、
上記前面通路は内部の傾斜面にて連続的に遊技球を接触させつつ同遊技球を下方に流下さ
せることができる。従って、遊技球が上記前面通路の内部にて衝突することなく、遊技球
を流入した順序通り流下させることができる。
【０００８】
本発明は、上記の構成に限られるものではなく、以下の手段も含むものである。
【０００９】
手段１
手段１にかかる発明は、請求項１に記載した発明において、上記前面通路は略筒状に形
成され、斜めに傾斜する構成としてある。
【００１０】
すなわち、上記前面通路自体を斜めに傾斜させることにより、内部にて上記傾斜面を容
易に形成することができる。すなわち、略筒状の上記前面通路を傾斜させることにより、
同前面通路の内壁面を上記傾斜面として利用することができる。
【００１１】
手段２
手段２にかかる発明は、請求項１に記載した発明において、上記前面通路は略筒状に形
成され、螺旋状に湾曲される構成としてある。
【００１２】
すなわち、略筒状の上記前面通路を螺旋状に形成することにより、内部に遊技球が連続
的に接触可能な上記傾斜面を形成することができる。螺旋状の筒の内壁面は滑らかに湾曲
するため、同内壁面を遊技球が連続的に接触可能な上記傾斜面として利用することができ
る。
【００１３】
手段３
手段３にかかる発明は、請求項１に記載した発明において、上記前面通路の内部に螺旋
状の上記傾斜面が形成される構成としてある。
【００１４】
すなわち、上記前面通路の内部に螺旋状の上記傾斜面を形成することも可能である。こ
のようにすることにより、上記前面通路自体を螺旋状とする必要がなくなるため、同前面
通路をコンパクトに形成することができる。
【００１５】
手段４
手段４にかかる発明は、手段１から手段３のいずれかに記載した発明において、上記前
面通路は、略水平に形成された上端にて上記供給部から所望量遊技球を払い出し可能な払
い出し装置と接続するとともに、
上記払い出し装置は略水平方向に遊技球を送出可能な可動部材を具備する構成としてあ
る。
【００１６】
すなわち、略水平方向に遊技球を送出可能な可動部材によって上記供給部から所望量遊
技球を払い出すことが可能な払い出し装置が備えられる。そして、上記前面通路は略水平
に形成された上端にて上記払い出し通路と接続する。これにより、上記払い出し装置と上
記前面通路との間で遊技球をゆっくりと略水平に受け渡すことができるため、同受け渡し
の際に球暴れが発生することが防止できる。
【００１７】
手段５
手段５にかかる発明は、手段１から手段４のいずれかに記載した発明において、上記遊
技機は遊技球を遊技媒体とするとともに、上記遊技領域にてドラムが回転させられるパチ
ロットである構成としてある。
【００１８】
すなわち、本発明をパチロットにも適用することができる。なお、パチロットは、メダ
ルの代わりに一定数のパチンコ球を使用して絵合わせを行うものでありパチンコ機とスロ
ットマシンの両方の特徴を備えた遊技機である。このようなパチロットも、遊技球の払い
出しが行われるため、本発明を適用することができる。
【発明の効果】
【００１９】
以上説明したように、請求項１にかかる発明によれば、遊技機の背面側のスペースを有
効に利用可能し、球詰まりの発生しにくい遊技機を提供することができる。
【００２０】
手段１にかかる発明によれば、簡易な構造で球詰まりを防止することができる。
【００２１】
手段２にかかる発明によれば、前面通路の装飾効果を向上させることができる。
【００２２】
手段３にかかる発明によれば、前面通路をコンパクトに形成することができる。
【００２３】
手段４にかかる発明によれば、払い出し装置から前面通路に遊技球をスムーズに流入さ
せることができる。
【００２４】
手段５にかかる発明によれば、背面側のスペースを有効に利用可能し、球詰まりの発生
しにくいパチロットを提供することができる。
【図面の簡単な説明】
【００２５】
【図１】第一の実施形態にかかるパチンコ遊技機の斜視図である。
【図２】第一の実施形態にかかるパチンコ遊技機の背面図である。
【図３】第一の実施形態にかかる連絡通路の説明図である。
【図４】第一の実施形態にかかる前面通路の断面図である。
【図５】第一の実施形態にかかる前面通路の断面図である。
【図６】第一の実施形態にかかる前面通路の一部断面図である。
【図７】第一の実施形態にかかる前面通路の部分拡大図である。
【図８】第一の実施形態にかかる前面通路の断面図である。
【図９】第一の実施形態にかかる前面通路の断面図である。
【図１０】第二の実施形態にかかるパチンコ遊技機の斜視図である。
【図１１】第三の実施形態にかかるパチンコ遊技機の斜視図である。
【図１２】第三の実施形態にかかるパチンコ遊技機の背面図である。
【図１３】第四の実施形態にかかる払い出し装置の側面図である。
【図１４】第四の実施形態にかかるパチンコ遊技機の斜視図である。
【図１５】第五の実施形態にかかるパチンコ遊技機の斜視図である。
【発明を実施するための形態】
【００２６】
ここでは、下記の順序に従って本発明の実施形態について説明する。
（１）第一の実施形態：
（２）第二の実施形態：
（３）第三の実施形態：
（４）第四の実施形態：
（５）第五の実施形態：
（６）まとめ：
（１）第一の実施形態：
図１は、本発明の第一の実施形態にかかるパチンコ遊技機を斜めから見て示している。
同図において、パチンコ遊技機１０は、木材によって矩形枠状に形成された外枠１１を有
しており、同外枠１１をホール等に固定することにより正立した状態で設置される。外枠
１１の内側には合成樹脂等で形成された矩形枠状の本体枠１２が嵌め込まれている。本体
枠１２の前面側には、同本体枠１２と回動可能なガラス枠１３が枢支されている。ガラス
枠１３は中央部に窓穴１３ｄを有しており、同開口からガラス１３ａが露出するように保
持されている。なお、ガラス枠１３と本体枠１２と外枠１１と遊技盤２４とが本発明にい
う本体部を構成する。
【００２７】
ガラス１３ａは透視可能であり、ガラス１３ａの内側を視認することが可能となってい
る。本体枠１２は矩形開口を有しており、同矩形開口にて矩形板状の遊技盤２４が保持さ
れている。そして、前面側からガラス１３ａを透視することにより、その内側に保持され
た遊技盤２４の様子を視認することが可能となっている。遊技盤２４の前面には略円環状
の遊技レールが立設されており、同遊技レールおよびガラス枠１３に囲まれた遊技領域２
５にて遊技球を流通させて遊技を行う。ガラス枠１３における窓穴１３ｄを囲む部分を前
方に隆起させることにより略円環畝状の装飾部１３ｅを設けている。装飾部１３ｅは彩色
により模様が形成されるとともに、内部に照明部材が埋設される。このようにすることに
より、装飾部１３ｅによって遊技領域２５の外部を装飾することができる。ガラス枠１３
の下方には、本発明の皿貯留部としての上皿１４が前面側に向かって突設されており、さ
らにその下方には下皿１５が前面側に向かって突設されている。上皿１４および下皿１５
は所定の深みを有する皿状に形成されているため、遊技球を貯留しておくことができる。
【００２８】
下皿１５の側方には半球状の発射ハンドル１６が回動可能に突設されており、同発射ハ
ンドル１６の回動量に応じて遊技球の発射を行うことが可能となっている。発射ハンドル
１６が備えられた部位の内部には発射機構１６ａが備えられている。発射機構１６ａは、
遊技領域まで遊技球を案内するレールと、発射ハンドル１６の回動量に応じて動作する発
射槌を有している。また、上皿１４と発射機構１６ａとは案内通路１４ｉにより連通して
おり、上皿１４の右端部には案内通路１４ｉの一端が開口している。従って、上皿１４に
貯留された遊技球を案内通路１４ｉを経由させて発射槌まで供給することが可能となって
いる。そして、供給された遊技球を発射槌が弾くことにより、遊技球が付勢され、遊技領
域に発射される。
【００２９】
パチンコ遊技機１０の前面側には長い略円筒状の前面通路３０が備えられており、同前
面通路３０を経由して上皿１４に遊技球が供給される。前面通路３０の上方部分は、略前
後方向に配向しており、ガラス枠１３から略前方に突出している。前面通路３０は、所定
量前方にいったところで下方に屈曲されており、以降は略鉛直方向の直線状となっている
。
【００３０】
図２は、パチンコ遊技機１０を背面側から見て示している。同図において、パチンコ遊
技機１０の背面側には略板状の機構板１７が枢支されており、本体枠１２に保持されてい
る遊技盤２４は同機構板１７によって背面側から覆われている。機構板１７には保護カバ
ー２２が取り付けられており、同保護カバー２２に背面側から覆われるように液晶ユニッ
ト２１や制御ボックス２３が配設されている。液晶ユニット２１は遊技領域の中央部に表
示面を露出させる液晶パネルを駆動するための装置であり、遊技盤２４を貫通するように
取り付けられている。制御ボックス２３はパチンコ遊技機１０の主要な動作を制御する制
御基板を収容する基板ボックスであり、内部の制御基板を強固に封止している。
【００３１】
パチンコ遊技機１０の背面側の上部には遊技球が貯留可能なタンク１８が備えられてい
る、タンク１８は幅方向に長い皿状に形成されており、上方に開口している。タンク１８
は本発明にいう供給部に相当し、同タンク１８はホール等に設置される遊技球供給装置か
ら遊技球の供給を受ける。タンク１８を遊技機における上方部分に備えておくことにより
、遊技球が重力に引かれて流下する勢いを利用して、遊技球を流通させることができる。
タンク１８の底面は紙面右方が低くなるように形成されており、タンク１８内を流下する
遊技球は紙面右方向に流通する。
【００３２】
タンク１８の底面には穴が形成されており、同穴からタンクレール１８ａに遊技球が落
下する。タンクレール１８ａは紙面右側が低くなるように傾斜しており、タンクレール１
８ａに落下した遊技球は紙面右側に流下する。さらに、タンクレール１８ａの紙面右側端
部の下方に備えられた払い出し装置１９に遊技球が落下する。払い出し装置１９は遊技球
の直径程度の内径を有する通路１９ａを有しており、同通路１９ａの側方にて所定形状の
回転体１９ｂが備えられ、同回転体１９ｂの一部が同通路１９ａの内部に突出している。
そして、回転体１９ｂが１／２回転する毎に遊技球を一球下方に送り出すことが可能とな
っている。すなわち、回転体１９ｂの回転量に応じて払い出される遊技球の数量が制御さ
れている。なお、回転体１９ｂの回転量は、制御ボックス２３に収容された制御基板等に
備えられたＣＰＵ等の演算結果に応じて制御されている。
【００３３】
例えば、大当たりが出た場合等には回転体１９ｂを高速に回転させるようにＣＰＵ等が
指令する。逆に、賞球がない場合には、回転体１９ｂを停止させるようにＣＰＵ等が指令
する。通路１９ａは払い出し装置１９の下方に備えられたガイド部材２０の内部に連通し
ており、払い出し装置１９にて払い出された遊技球はガイド部材２０の内部に落下する。
【００３４】
図３は、遊技球の通路を模式的に示している。同図において、ガイド部材２０は内部に
略Ｌ字状の通路２０ａを有しており、通路２０ａの底面は前方になるほど低くなるように
傾斜している。通路２０ａの前方端部は開口しており、底面を伝って流下する遊技球を前
方に排出することが可能となっている。また、通路２０ａの前方端部の開口は、機構板１
７を前後に貫通するように形成された機構板通路１７ａの後端と接続されている。従って
、ガイド部材２０から排出された遊技球は、機構板通路１７ａに導入される。機構板通路
１７ａの底面も前方になるほど低くなるように傾斜しているため、機構板通路１７ａに導
入された遊技球はさらに前方に流下する。
【００３５】
機構板１７は本体枠１２に対して回動可能に枢支されているが、機構板１７と本体枠１
２とが平行となるように機構板１７を回動させることにより、機構板１７と本体枠１２と
が略密着する。このとき、機構板通路１７ａの前端も本体枠１２に背面側から接触し、同
本体枠１２を前後に貫通するように形成された本体枠通路１２ａの後端と接続する。この
ようにすることにより、機構板通路１７ａを流下した遊技球を本体枠通路１２ａに案内す
ることができる。本体枠通路１２ａの底面も前方になるほど低くなるように傾斜している
ため、本体枠通路１２ａに導入された遊技球はさらに本体枠通路１２ａを前方に流下する
。
【００３６】
一方、本体枠１２の前面側に備えられるガラス枠１３には、同ガラス枠１３を前後に貫
通するガラス枠通路１３ｂが穿設されている。ガラス枠１３は本体枠１２に対して回動可
能に枢支されているが、本体枠１２に背面側を略密着させ遊技領域２５を前面側から閉鎖
するようにガラス枠１３を回動させたときには、ガラス枠１３と本体枠１２に保持された
遊技盤２４とを平行に略密着させることができる。このとき、本体枠通路１２ａの前端と
、ガラス枠通路１３ｂの後端とが接続する。ガラス枠通路１３ｂの底面も前方になるほど
低くなるように傾斜しているため、ガラス枠通路１３ｂに導入された遊技球はさらに前方
に流下する。
【００３７】
ガラス枠１３の前面側には前面通路３０がガラス枠通路１３ｂの前方開口を取り囲むよ
うに取り付けられている。前面通路３０は中空状となっているため、ガラス枠通路１３ｂ
を流下した遊技球は前面通路３０の内部を流下する。
【００３８】
このように、パチンコ遊技機１０を構成する各部材の前後を貫通する機構板通路１７ａ
と本体枠通路１２ａとガラス枠通路１３ｂを形成し、これらを前後に接続することにより
、パチンコ遊技機１０を前後に貫通する連絡通路Ａを形成することができる。この連絡通
路Ａによれば遊技球を背面側から前面側に流通させることができるため、払い出し装置１
９から払い出された遊技球を前面側の前面通路３０に流入させることができる。前面通路
３０を流下した遊技球は上皿通路３４を利用して上皿１４に供給することができる。
【００３９】
また、前面通路３０をガラス枠１３から前方に離れて形成することにより、種々の構造
物を前面通路３０とガラス枠１３との間に形成することができる。すなわち、前面通路３
０が配設される部位をデッドスペースとせず、有効に利用することができる。例えば、装
飾部１３ｅのような装飾部を配設することもできるし、スピーカや照明等の電装部材を配
設することもできる。また、上皿１４よりも前面通路３０を前面側に形成することにより
、上皿１４のような突出物も前面通路３０と干渉することなく配設することができる。
【００４０】
図４および図５は、前面通路３０の断面を見て示している。図４は略円筒状の前面通路
３０を軸方向に切断しており、図５は前面通路３０の軸方向に対する直交平面にて切断し
ている。前面通路３０の内部には、内側に向かって略板状の螺旋通路３１が突設されてい
る。螺旋通路３１は前面通路３０の内壁に沿って螺旋状に形成されており、内側の端部が
外側よりも高さが高くなるように形成されている。また、螺旋通路３１の幅は遊技球の直
径の２〜３倍程度とされている。このようにすることにより、前面通路３０において、遊
技球を図６に示すように螺旋状に流下させることができる。なお、螺旋通路３１は本発明
の傾斜面に相当する。
【００４１】
前面通路３０はＡＢＳ樹脂等の合成樹脂で透明に形成されているため、遊技者は螺旋状
に流下する遊技球の様子を視認することができる。従って、使用者はどれだけの量の遊技
球が払い出されたかということを実感することができる。特に、前面通路３０を独立した
略筒状の部材として、ガラス枠１３の前面側に突出するように取り付けているため、前面
通路３０のほぼ全体を視認することができる。また、螺旋状に流下し、通路が長く確保さ
れるため、流通時間を長くすることができる。従って、遊技者が流下する遊技球を見逃し
てしまうようなこともない。遊技球が螺旋状に流下する際には、遊技球に遠心力が作用す
る。従って、確実に遊技球を螺旋通路３１に沿わせて進行させることができる。さらに、
螺旋通路３１の内側端部が外側よりも高さが高くなるように形成されているため、確実に
遊技球を外側の内壁に沿わせて流通させることができる。
【００４２】
払い出し装置１９において回転体１９ｂが１／２回転する毎に遊技球が一球ずつ下方に
送り出される。従って、回転体１９ｂの回転速度に応じて遊技球の払い出し間隔は変動す
るものの、一球ずつ前面通路３０に遊技球が流入することとなる。そして、一球ずつ流入
した遊技球は螺旋通路３１上を順に旋回することとなる。螺旋通路３１は、連続的に遊技
球を下方から支持する滑らかな傾斜面であるため、遊技球が螺旋通路３１に沿って滑らか
に進行することができる。すなわち、進行方向が急激に変動したり、障害物に衝突したり
、落下することなく、整然と遊技球を流下させることができる。
【００４３】
従って、一球ずつ前面通路３０に遊技球が流入した遊技球の順序を変えることなく、前
面通路３０にて遊技球を流下させることができる。これにより、前面通路３０におけるい
ずれの部位においても遊技球が複数同時に通過することが防止され、球詰まりを起こすこ
とが防止できる。また、遊技球が前面通路３０の内部にて球暴れを起こすこともなく、前
面通路３０の破損等も防止することができる。むろん、前面通路３０は、配置スペースの
制約を受けないパチンコ遊技機１０の前面側に形成されるため、流路断面積を大型化し球
詰まりを防止することも容易である。また、前面通路３０の内部に螺旋通路３１のような
構造物を形成することも容易である。
【００４４】
さらに、螺旋通路３１上には同螺旋通路３１の一回転周期毎に基板に実装された接触式
スイッチ３５が備えられており、同接触式スイッチ３５上を遊技球が通過することにより
同接触式スイッチ３５がＯＮ状態となる。基板および接触式スイッチ３５は遊技球が衝突
して跳ねない程度の厚みに形成されているとともに、遊技球の重みによって下降可能な可
動接点と、下降させられた同可動接点と接触可能な固定接点とを有している。そして、両
接点が接触することによりＯＮ状態となる。接触式スイッチ３５は基板を介してＬＥＤ３
６と接続されており、遊技球が通過する毎にＬＥＤ３６が点灯する。なお、ＬＥＤ３６お
よび接触式スイッチ３５にはケーブル３７を介して電源が供給されている。
【００４５】
このようにすることにより、前面通路３０をＬＥＤ３６の照明によって装飾効果を高め
ることができる。ＬＥＤ３６は遊技球の流通と連携して点灯されるため、遊技球が前面通
路３０を流下していることを視覚的に把握しやすくすることができる。また、払い出し装
置１９が連続的に遊技球を払い出しているときは、ＬＥＤ３６の明滅周期が短くなり、多
くの遊技球が払い出されていることを認識することができる。
【００４６】
図７は、前面通路３０の下方部分を正面から見て示している。同図において、前面通路
３０は上皿１４の側方をかすめつつ、下端は下皿１５まで到達している。前面通路３０の
側面に開口を形成することにより上皿出口３２が形成されており、同上皿出口３２を介し
て前面通路３０と上皿１４とが連通している。前面通路３０は下端に近づくにつれて通路
方向が水平に近づくように湾曲されており、その先端には下皿出口３３が形成されている
。前面通路３０の下端は下皿１５の内部に侵入しており、下皿出口３３は下皿１５の内部
にて開口している。
【００４７】
図８は、図７において破線Ｘ１で示す水平断面により前面通路３０を切断した様子を示
している。同図において、上皿出口３２まで螺旋通路３１が延設されており、この延設部
と上皿１４の底面とが接続されている。前面通路３０を螺旋状に流下した遊技球は上皿出
口３２を介して、前面通路３０の略接線方向に放出される。上皿出口３２から放出された
遊技球は上皿１４にて貯留される。このように、遊技球を螺旋状に流下させることにより
、ある程度遊技球を水平に近い方向に放出させることができる。従って、急激な進行方向
の変化を避けることができ、略水平に形成された上皿１４の底面上にスムーズに遊技球を
放出することができる。
【００４８】
図９は、満杯状態の上皿１４に遊技球が放出される様子を図８と同様の断面により示し
ている。同図において、上皿１４の内部に遊技球が充填されており、上皿出口３２が貯留
された遊技球によって塞がれている。かかる状態においては、上皿出口３２から上皿１４
に遊技球が放出されることが阻害される。すなわち、勢いよく前面通路３０を流下してき
た遊技球は上皿出口３２付近に滞留した遊技球に衝突して跳ね返されることとなる。滞留
した遊技球に衝突して跳ね返された遊技球は螺旋通路３１から脱落し、螺旋通路３１の内
側に落下することとなる。なお、上皿出口３２よりも下方には螺旋通路３１が形成されて
いない。
【００４９】
螺旋通路３１から落下した遊技球は、さらに前面通路３０を流下し、最終的に下端に形
成された下皿出口３３に到達することとなる。下皿出口３３に到達した遊技球は、同下皿
出口３３から下皿１５の内部に放出される。このとき、前面通路３０の下端部分は略水平
となるように湾曲されているため、略水平に形成された下皿１５の底面にスムーズに遊技
球を放出することができる。そして、下皿１５にて遊技球を貯留することができる。この
ように、前面通路３０によれば、上皿１４が満杯状態のときに限り、払い出された遊技球
を下皿１５に案内させることができる。すなわち、前面通路３０の螺旋通路３１と上皿出
口３２とは、本発明にいうオーバーフロー機構を構成しているといえる。なお、上皿１４
に貯留された遊技球は発射機構１６ａによって遊技領域に発射される。
【００５０】
（２）第二の実施形態：
図１０は、第二の実施形態にかかるパチンコ遊技機を斜めから見て示している。同図に
おいて、パチンコ遊技機１１０は前実施形態と同様に形成されており、前面通路１３０も
前実施形態と同様にパチンコ遊技機１１０の前面側に突設されている。ただし、前面通路
１３０は断面の径が遊技球の径の１．５倍程度の円筒状とされており、前実施形態よりも
細くされている。また、パチンコ遊技機１１０の上部から上皿１１４に到達するまで、前
面通路１３０は螺旋状に湾曲されている。
【００５１】
本実施形態において前面通路１３０の内部に構造物は設けられておらず、遊技球は前面
通路１３０の内壁面に沿って螺旋状に流下することとなる。前面通路１３０の内壁面は、
連続的に遊技球を下方および遠心方向から支持する滑らかな傾斜面であるため、遊技球が
前面通路１３０の内壁面に沿って滑らかに進行することができる。すなわち、本実施形態
のように前面通路１３０の流路断面が小さい場合でも遊技球を一球ずつ整然と流下させ、
球詰まりを防止することができる。
【００５２】
（３）第三の実施形態：
図１１は、第三の実施形態にかかるパチンコ遊技機を斜めから見て示している。同図に
おいて、パチンコ遊技機２１０の前面側に前面通路２３０が備えられている。ただし、前
面通路２３０は遊技領域２２５の中央の高さから下方に向かって形成されており、同遊技
領域２２５の円周下部に沿うような形状で湾曲させられている。前面通路２３０の先端は
上皿２１４の内部にて終端しており、前面通路２３０に流入した遊技球は上皿２１４の内
部に放出され、貯留される。
【００５３】
図１２は、第三の実施形態にかかるパチンコ遊技機を背面から見て示している。同図に
おいて、タンクレール２１８ａと払い出し装置２１９との間に球抜き装置２１８ｂが介在
しており、その高さ分だけ払い出し装置２１９が低い位置に取り付けられている。球抜き
装置２１８ｂは、払い出し装置２１９に連通する通路と、機外に排出する通路とを有して
おり、所定のレバー操作によってタンクレール２１８ａから供給される遊技球をいずれか
の通路に切り換えて流入させることができる。従って、払い出し装置２１９等が故障した
場合には、タンクレール２１８ａから供給される遊技球を機外に排出し、払い出し装置２
１９等のメンテナンスを行うことができる。
【００５４】
払い出し装置２１９とガイド部材２２０は配設位置が低いものの、第一の実施形態と同
様に形成されている。また、図３と同様に連絡通路Ａによってガイド部材２２０から遊技
球が前面側の前面通路２３０に案内される。本実施形態において、連絡通路Ａが設けられ
る位置が低いため、図１１に示すように前面通路２３０を低い位置から形成することがで
きる。
【００５５】
前面通路２３０は、前実施形態と同様に略円筒状に形成されており、内部に障害物を有
していないため、前面通路２３０の内壁面に沿って遊技球が流下することができる。前面
通路２３０の上端と下端の高低差が少ないため、前面通路２３０の傾斜角度が緩やかであ
る。従って、前面通路２３０の内部にて遊技球をゆっくりと流下させることができる。前
面通路２３０の内壁面によって連続的に下方から支持されて遊技球を流下させることがで
きるため、遊技球が前面通路２３０の内部にて跳ね返ることもない。すなわち、本実施形
態のように前面通路２３０全体を全体に傾斜させても、遊技球を一球ずつ整然と流下させ
、球詰まりを防止することができる。
【００５６】
（四）第四の実施形態：
図１３は、第四の実施形態にかかる払い出し装置を側方から見て示している。同図にお
いて、払い出し装置３１９は略矩形箱状の筐体を有しており、内部に通路３１９ａを有し
ている。通路３１９ａは、導入通路３１９ａ１と送出通路３１９ａ２に分断されており、
同分断部位にて可動部材としての回転体３１９ｂが備えられている。回転体３１９ｂは、
略Ｓ字状に形成されており、一対の凹部３１９ｂ１，３１９ｂ１を有している。回転体３
１９ｂは、中央部にて払い出しモータ３１９ｃの駆動軸３１９ｃ１に軸支されており、払
い出しモータ３１９ｃの駆動の駆動に伴って紙面時計回りに回動する。
【００５７】
導入通路３１９ａ１は遊技球が一球だけ通過することが可能な通路幅とされており、導
入通路３１９ａ１から上方に配向する凹部３１９ｂ１に対して一球ずつ遊技球が載置され
る。凹部３１９ｂ１に遊技球が載置された状態から回転体３１９ｂが回転することにより
、遊技球が載置されていた凹部３１９ｂ１が下方に配向する。すると、凹部３１９ｂ１に
載置されていた遊技球が回転体３１９ｂの付勢によって略水平に送出される。水平に送出
された遊技球はそのまま送出通路３１９ａ２に流入し、送出通路３１９ａ２に沿って前面
側に流下することとなる。このようにすることにより、回転体３１９ｂを１／２回転させ
るごとに遊技球を一球ずつ送出通路３１９ａ２に送出することができる。
【００５８】
図１３において、払い出し装置３１９は、本体枠３１２および機構板３１７にまたがっ
て埋設されている。すなわち、本体枠３１２および機構板３１７にはそれぞれ払い出し装
置３１９を収容するための収容穴３１２ａ，３１７ａが形成されているため、機構板３１
７を本体枠３１２に対して閉じたとき、収容穴３１２ａ，３１７ａに対して払い出し装置
３１９を収容することができる。払い出し装置３１９において通路３１９ａは前後方向に
形成されているため、遊技球を背面側から前面側に案内することができる。また、払い出
し装置３１９はタンクレール３１８ａから遊技球の供給を受けている。
【００５９】
図１４は、パチンコ遊技機３１０のガラス枠３１３を回動させて遊技領域３２５を前面
側に解放した状態を斜めから示している。同図において、収容穴３１２ａに収容された払
い出し装置３１９が前面側に露出し、送出通路３１９ａ２も前面側に露出している。一方
、回動しているガラス枠３１３の裏側までガラス枠通路３１３ｂが連通しており、ガラス
枠３１３と本体枠３１２が略密着するようにガラス枠３１３を回動させたとき、図１３に
示すように送出通路３１９ａ２の前方端部とガラス枠通路３１３ｂの後方端部が接続する
。これにより、払い出し装置３１９の回転体３１９ｂによって略水平前方に付勢された遊
技球を、送出通路３１９ａ２とガラス枠通路３１３ｂを経由して前面通路３３０に流入さ
せることができる。
【００６０】
そして、前面通路３３０に流入した遊技球は第一の実施形態と同様に形成された螺旋通
路３３１上を流下することとなる。このように、払い出し装置３１９から遊技球を略水平
に送出し、遊技球を連続的な通路３１９ａ２，３１３ｂ上を流下させることにより、払い
出し装置３１９から前面通路３３０までの経路における球暴れを防止することができる。
従って、前面通路３３０に整然と遊技球を案内することができ、引き続き螺旋通路３３１
にて遊技球を整然と流下させることができる。なお、ガラス枠３１３を回動させて遊技領
域３２５を前面側に解放した状態において払い出し装置３１９を前面側に露出させること
ができるため、払い出し装置３１９のメンテナンスを容易に行うことができる。
【００６１】
（５）第五の実施形態：
図１５は、第五の実施形態にかかる遊技機としてのパチロットを斜めから見て示してい
る。パチロット４１０は、スロットマシンにおけるメダルの代わりに遊技球を利用するも
のであり、例えば、パチンコ球の５個がメダル１個に相当して遊技を楽しむことができる
。パチロット４１０には、スロットマシンと同様に回転するドラム４２５ａが備えられて
いる。このようなパチロット４１０においても遊技媒体として遊技球が使用されるため、
遊技状態に応じて遊技球が払い出されることとなる。従って、パチロット４１０の遊技領
域４２５よりも前面側に前面通路４３０を形成することができ、それにより、パチロット
４１０の背面側のスペースを広く確保することができる。なお、図示しないが前面通路４
３０においても内部に螺旋通路が形成されている。
【００６２】
（６）まとめ：
本発明において、パチンコ遊技機１０の前面側に前面通路３０を配設することにより、
払い出し通路をパチンコ遊技機１０の背面側に形成しないようにすることができる。これ
により、パチンコ遊技機１０の背面側のスペースを広く確保することができ、より多くの
機構部材をパチンコ遊技機１０の背面側に配設することが可能となる。また、前面通路３
０の内部に遊技球が連続的に接触して流下可能な螺旋通路３１を設けることにより、球暴
れを防止し、流入した順序通りに前面通路３０の内部にて遊技球を流下させることができ
る。従って、前面通路３０の内部における球詰まりを防止することができる。
【符号の説明】
【００６３】
１０，１１０，２１０，３１０…パチンコ遊技機
１１…外枠
１２，３１２…本体枠
１２ａ…本体枠通路
１３，３１３…ガラス枠
１３ｂ，３１３ｂ…ガラス枠通路
１３ｄ…窓穴
１３ｅ…装飾部
１４，１１４，２１４…上皿
１４ｉ…案内通路
１５…下皿
１６…発射ハンドル
１６ａ…発射機構
１７，３１７…機構板
１７ａ…機構板通路
１８…タンク
１８ａ，２１８ａ，３１８ａ…タンクレール
１９，２１９，３１９…払い出し装置
１９ｂ，３１９ｂ…回転体
２０，２２０…ガイド部材
２１…液晶ユニット
２２…保護カバー
２３…制御ボックス
２４…遊技盤
２５，２２５，３２５，４２５…遊技領域
３０，１３０，２３０，３３０，４３０…前面通路
３１，３３１…螺旋通路
３２…上皿出口
３３…下皿出口
３４…上皿通路
３５…接触式スイッチ
３７…ケーブル
２１８ｂ…球抜き装置
３１２ａ，３１７ａ…収容穴
３１９ａ１…導入通路
３１９ａ２…送出通路
３１９ｂ１，３１９ｂ１…凹部
３１９ｃ…払い出しモータ
３１９ｃ１…駆動軸
４１０…パチロット
４２５ａ…ドラム
Ａ…連絡通路
【図１】
2010279796.tif 000003
【図２】
2010279796.tif 000004
【図３】
2010279796.tif 000005
【図４】
2010279796.tif 000006
【図５】
2010279796.tif 000007
【図６】
2010279796.tif 000008
【図７】
2010279796.tif 000009
【図８】
2010279796.tif 000010
【図９】
2010279796.tif 000011
【図１０】
2010279796.tif 000012
【図１１】
2010279796.tif 000013
【図１２】
2010279796.tif 000014
【図１３】
2010279796.tif 000015
【図１４】
2010279796.tif 000016
【図１５】
2010279796.tif 000017